(57)【特許請求の範囲】
【請求項１】
内部に食器収納槽を有する食器洗浄機本体と、前記食器収納槽内に設けられ食器を収納する食器収納篭と、該食器収納篭に収納された食器に循環水を吐出するノズルと、該ノズルに循環水を送水すると共に循環水を機外へ排水するポンプとを有し、
前記ポンプは、ケーシングと、該ケーシングに設けられ循環水を吐き出して前記ノズルに該循環水を送水する洗浄水吐出口と、前記ケーシングに設けられ循環水を吐き出して該循環水を機外に排出する排水吐出口と、前記ケーシング内に配設される羽根車と、該羽根車を駆動する電動機と、前記排水吐出口を開放又は閉塞可能な弁体とを備え、
前記弁体は、前記電動機が停止状態で前記排水吐出口を開放し、
前記弁体の先端部には、排水時、前記弁体が前記排水吐出口に密着した場合に、循環水の流れにより前記弁体を前記排水吐出口から剥がす圧力を生じさせる傾斜部を設けたことを特徴とする食器洗浄機。
【請求項２】
内部に食器収納槽を有する食器洗浄機本体と、前記食器収納槽内に設けられ食器を収納する食器収納篭と、該食器収納篭に収納された食器に循環水を吐出するノズルと、該ノズルに循環水を送水すると共に循環水を機外へ排水するポンプとを有し、
前記ポンプは、ケーシングと、該ケーシングに設けられ循環水を吐き出して前記ノズルに該循環水を送水する洗浄水吐出口と、前記ケーシングに設けられ循環水を吐き出して該循環水を機外に排出する排水吐出口と、前記ケーシング内に配設される羽根車と、該羽根車を駆動する電動機と、前記排水吐出口を開放又は閉塞可能な弁体とを備え、
前記弁体は、前記羽根車が停止状態で前記排水吐出口を開放すると共に、前記羽根車が一方向に回転することで前記排水吐出口を閉塞し、
前記弁体の先端部には、排水させるために前記羽根車を他方向に回転させた時、前記弁体が前記排水吐出口に密着した場合に、循環水の流れにより前記弁体を前記排水吐出口から剥がす圧力を生じさせる傾斜部を設けたことを特徴とする食器洗浄機。
【発明の詳細な説明】
【０００１】
【発明の属する技術分野】
本発明は、食器洗浄機に係り、特に電動機の動力を伝達された単一のポンプの羽根車を正逆回転する事で上記ポンプのケーシング内またはケーシングカバーに装着された、少なくとも２方向の吐出口に、流れを切り換える為の弁体を有する食器洗浄機に関する。
【０００２】
【従来の技術】
従来のポンプ等に用いられる切換弁は、例えば特開昭60−26199 号公報に記載のように、２つの吐出口を１枚の略平板上の弁体にて閉塞するものであった。この弁体は、上記ポンプケーシング内で加圧され流体を正逆回転する羽根車が加圧した流体の影響を受けて回動し、それぞれ希望する吐出口から流体を吐き出す為のものである。
【０００３】
【発明が解決しようとする課題】
しかしながら、上記特開昭60−26199 号公報に記載の技術においては、弁体の先端部が略平板上である為、この技術を食器洗い機に適用すると、食器洗浄機の循環水中に含まれる油成分や微細な食品屑等の不純物が排水吐出口壁と弁体の隙間に体積して切換弁が密着してしまう。そのため切換弁の密着を防ぐ構造が複雑で高価になり、密着防止構造の簡略化並びに製造コストの低減を容易に得ない等の問題があった。
【０００４】
本発明の目的は、上記課題を解決し、弁体と排水吐出口が完全に密着しても、弁体をはがすための、密着防止構造の向上を図った食器洗浄機を提供することにある。
【０００５】
【課題を解決するための手段】
前記目的を達成するために本発明の特徴とするところは、内部に食器収納槽を有する食器洗浄機本体と、前記食器収納槽内に設けられ食器を収納する食器収納篭と、該食器収納篭に収納された食器に循環水を吐出するノズルと、該ノズルに循環水を送水すると共に循環水を機外へ排水するポンプとを有し、前記ポンプは、ケーシングと、該ケーシングに設けられ循環水を吐き出して前記ノズルに該循環水を送水する洗浄水吐出口と、前記ケーシングに設けられ循環水を吐き出して該循環水を機外に排出する排水吐出口と、前記ケーシング内に配設される羽根車と、該羽根車を駆動する電動機と、前記排水吐出口を開放又は閉塞可能な弁体とを備え、前記弁体は、前記電動機が停止状態で前記排水吐出口を開放し、前記弁体の先端部には、排水時、前記弁体が前記排水吐出口に密着した場合に、循環水の流れにより前記弁体を前記排水吐出口から剥がす圧力を生じさせる傾斜部を設けたことにある。
また、本発明の特徴とするところは、内部に食器収納槽を有する食器洗浄機本体と、前記食器収納槽内に設けられ食器を収納する食器収納篭と、該食器収納篭に収納された食器に循環水を吐出するノズルと、該ノズルに循環水を送水すると共に循環水を機外へ排水するポンプとを有し、前記ポンプは、ケーシングと、該ケーシングに設けられ循環水を吐き出して前記ノズルに該循環水を送水する洗浄水吐出口と、前記ケーシングに設けられ循環水を吐き出して該循環水を機外に排出する排水吐出口と、前記ケーシング内に配設される羽根車と、該羽根車を駆動する電動機と、前記排水吐出口を開放又は閉塞可能な弁体とを備え、前記弁体は、前記羽根車が停止状態で前記排水吐出口を開放すると共に、前記羽根車が一方向に回転することで前記排水吐出口を閉塞し、前記弁体の先端部には、排水させるために前記羽根車を他方向に回転させた時、前記弁体が前記排水吐出口に密着した場合に、循環水の流れにより前記弁体を前記排水吐出口から剥がす圧力を生じさせる傾斜部を設けたことにある。
【０００６】
【発明の実施の形態】
以下、本発明の一実施例を用いて説明する。尚、本実施例は、食器洗浄機を例にとり説明する。図において同一の構成部品は同一の符号を付している。
【０００７】
図６および図７において、食器洗浄機の本体６０１は、前面開口部に開閉扉６０２を有し内部には食器収納槽（以下収納槽）７０１を有している。上記収納槽７０１は、食器を収納する為の食器収納篭（以下収納篭）７０２を有している。
【０００８】
また収納槽７０１内には、食器を洗浄する行程で循環水を吐出する為の循環水噴射ノズル（以下ノズル）７０３を有している。更に収納槽７０１の下方には循環水を加圧するポンプ７０４を配している。ポンプ７０４は軸７０５によって連結された電動機７０６によって駆動される。その開口部を覆うようにフィルター７０８がまた、貯水容器７０７の内部にもフィルター７０９が配置されている。送風ファン７１０は、上記電動機７０６のポンプ７０４に対して反対側に配置されており、送風ファン７１０によって吐出された空気は送風ホース７１１によって導かれ、このホース途中にあり、図示しないヒータによって温められた、温風となり収納槽７０１に送られ、食器類の乾燥に寄与する。また、７１２は水道水から収納槽７０１へ水を供給する為の給水弁である。
【０００９】
次に、図６および図７を用いて、本発明の一実施例に関する食器洗浄機の動作について説明する。
【００１０】
食器類の洗浄行程においては、水は給水弁から給水され、貯水容器７０７に貯められ、さらに所定の水位まで貯水される。収納槽７０１に貯水されたこの循環水は図示はしないヒータによって温められ温水となる。このヒータにより温められた温水となった循環水は貯水容器７０７に装着された前記フィルター７０８，７０９を通過し、電動機７０６の動力を伝達されたポンプ７０４内で加圧され、洗浄水吐出口７１３から吐出され、上記ノズル７０３に送られる。この送水された循環水は、ノズル７０３から噴射され、収納篭７０２に収納された食器類を洗浄し、収納槽７０１内に落下する。この収納槽７０１内に落下した循環水は、再び貯水容器７０７に装着されたフィルター７０８，７０９を通過し、食器屑を除去された後、ポンプ７０４内で加圧され、ノズル７０３に送られる。
【００１１】
循環水の排水行程において説明すると、羽根車７１４を洗浄時とは逆方向に回転させて、循環水を排水ホース７１５に導き、食器洗浄機６０１の機外に排出する。
【００１２】
循環水が機外に排出された後、食器の乾燥行程に入る。乾燥行程では、電動機７０６の動力を伝達された送風ファン７１０から吐き出した空気が送付ホース７１１に送られ、送風ホース７１１の途中に配置されたヒータ（図示せず）により加熱され、温風となり前記収納槽７０１内に送られる。この収納槽７０１に送られた温風は収納篭７０２に装着された食器類に当てられる。この事により食器を乾燥し、温風吐出口６０３より機外に排出される。
【００１３】
上述したように本実施の食器洗浄機６０１は洗浄と排水を一つのポンプ７０４により行っている。このようにポンプ７０４を用いた場合、例えば洗浄行程から排水行程に移る場合、ポンプ７０４内の弁体１０５を回動し、循環水吐出口を切り換える必要がある。この切り換え手段について、以下説明する。
【００１４】
図１から図３に、本発明の一実施例に係るポンプ７０４の平面図を示す。図１から図３において、１０１は本発明の一実施例に係るポンプケーシングである。このケーシング１０１は、洗浄水吐出口１０２と排水吐出口１０３を有する。
【００１５】
７１４は羽根車であり、１０５は吐出口を切り換える弁体１０５であり、この弁体１０５の先端部は斜めに傾斜部１０６が設けてあり、溝部１１０に挿入してある。弁体１０５は軸１０７を中心として回動する。
【００１６】
また、洗浄，排水の切り換えは、以下のようにして行う。
【００１７】
電動機の駆動方向を正逆回転することにより、ポンプの羽根車７１４を正逆回転させ、ケーシング１０１内の流体の流れ方向を変化させることにより、弁体１０５に係る圧力方向を変化させ、弁体１０５を回動させる。この弁体１０５を回動させ、洗浄水吐出口１０２と排水吐出口１０３を交互に閉塞することにより、洗浄と排水を切り換える。その動作の詳細は以下のようである。
【００１８】
まず図２において、電動機停止時の弁体１０５は弁体１０５の自重により下側に位置する、洗浄運転を行うと図１のように羽根車７１４は時計方向に回転する。このとき羽根車７１４の回転による流体の流れにより、弁体１０５は、排水吐出口１０３側へと弁体１０５が接触して閉塞する位置にくる。次に排水運転を行う場合は、電動機を停止させて弁体１０５が自重で下側に落ちる時間をおいてから、電動機を逆転させることで、図３のように羽根車７１４は反時計方向に回転し羽根車７１４の回転による流体の流れにより、弁体１０５は洗浄水吐出口102を閉塞する位置にくる。
【００１９】
次に弁体１０５が排水吐出口１０３に密着した場合の弁体１０５をはがす方法について図４で説明する。本実施例によれば、洗浄中に弁体１０５と排水吐出口１０３の間に循環水中に含まれる油成分や微細な食品屑の不純物により弁体105が密着した場合は、弁体１０５の自重だけでははがすことができない。そこで弁体１０５に設けた斜めの傾斜部１０６とケーシング部１０１に隙間を生じさせ、矢印の方向の流体の流れにより隙間部に流体を導き弁体１０５にはがし圧力が生じ、弁体１０５は排水吐出口１０３からはがれ弁体１０５が洗浄吐出側へ切り換わることができる。また他の実施例について図５で説明する。排水吐出口１０３側の吐出口より低くケーシング部１０１に段差部１０８により密着した弁体105は、矢印の様に流体の流れにより弁体１０５とケーシング部１０１の段差部108に流体を導き弁体１０５にはがし圧力が生じ、弁体１０５は排水吐出口１０３からはがれ、弁体１０５が洗浄吐出側へ切り換わることができる。よって本構成で密着防止構造の簡略化並びに製造コスト低下を提供するものである。
【００２０】
【発明の効果】
本発明によれば、弁体先端部を斜めに傾斜を設けているので、油成分や微細な食品屑の不純物が弁体表面及び、排水吐出口表面に付着して閉塞して弁体が吐出と密着しても、弁体先端部とケーシングの隙間に回転水流の圧力により密着防止構造の簡略化並びに製造コスト低下の効果がある。
【図面の簡単な説明】
【図１】本発明の排水時の弁体位置を示すポンプの平面図である。
【図２】本発明の停止時の弁体位置を示すポンプの平面図である。
【図３】本発明の洗浄時の弁体位置を示すポンプの平面図である。
【図４】本発明の弁体にはがし作用する平面図である。
【図５】本発明の他実施例のポンプの平面図である。
【図６】本発明の本体外観図である。
【図７】本発明の本体縦断面図である。
【符号の説明】
１０１…ケーシング、１０２…洗浄水吐出口、１０３…排水吐出口、１０５…弁体、１０６…傾斜部、１０８…ケーシング段差部、７０４…ポンプ、７０６…電動機、７１４…羽根車。
【図１】
0003757576.tif 000002
【図２】
0003757576.tif 000003
【図３】
0003757576.tif 000004
【図４】
0003757576.tif 000005
【図５】
0003757576.tif 000006
【図６】
0003757576.tif 000007
【図７】
0003757576.tif 000008